【手続補正書】
【提出日】平成25年10月11日(2013.10.11)
【手続補正１】
【補正対象書類名】明細書
【補正対象項目名】発明の名称
【補正方法】変更
【補正の内容】
【発明の名称】画像管理装置、システム、その制御方法、及びプログラム
【手続補正２】
【補正対象書類名】明細書
【補正対象項目名】０００１
【補正方法】変更
【補正の内容】
【０００１】
画像管理装置、システム、その制御方法、及びプログラムに関する。
【手続補正３】
【補正対象書類名】明細書
【補正対象項目名】０００８
【補正方法】変更
【補正の内容】
【０００８】
本願発明は、クライアント端末および応募サイトに通信可能に接続され、登録された画像を管理する画像管理装置であって、前記クライアント端末から、前記登録されている画像の中から前記応募サイトに応募する画像の選択を受け付ける第１の応募画像受付手段と、前記受け付けた画像を前記応募サイトに送信する応募画像送信手段と、前記登録されている画像を表示する画面の表示要求を前記クライアント端末から受け付ける第1の登録画像画面受付手段と、前記受け付けた表示要求に応じて、前記応募サイトに送信した画像の前記応募サイトへの応募を識別可能な表示情報を、前記登録されている画像に新規に付与して表示する画面を前記クライアント端末に表示指示する登録画像画面表示指示手段と、を備えることを特徴とする。
【手続補正４】
【補正対象書類名】明細書
【補正対象項目名】００１０
【補正方法】変更
【補正の内容】
【００１０】
また、前記登録画像表示指示手段が前記応募サイトへの応募を識別可能に表示する前記表示情報は、前記クライアント端末から、前記応募画像送信手段が送信した画像の表示を要求可能な表示情報であることを特徴とする。
【手続補正５】
【補正対象書類名】明細書
【補正対象項目名】００１１
【補正方法】変更
【補正の内容】
【００１１】
また、前記応募サイトに応募した画像の応募情報を記憶する応募情報記憶手段と、前記表示情報を介して、前記応募画像送信手段が送信するまたは送信した画像の表示要求を受け付ける応募画像表示要求受付手段と、前記画像の表示要求を受け付けた場合に、前記応募情報記憶手段が記憶している応募情報に従って、前記表示要求された画像が新規応募であるいなかを判定する新規応募判定手段と、前記新規応募判定手段によって、当該画像が応募済みでないと判断された場合、当該画像の送信指示を受けつける指示受付部を含む応募画面を、前記クライアント端末に表示指示する応募画面表示指示手段と、を備えることを特徴とする。
【手続補正６】
【補正対象書類名】特許請求の範囲
【補正対象項目名】全文
【補正方法】変更
【補正の内容】
【特許請求の範囲】
【請求項１】
クライアント端末および応募サイトに通信可能に接続され、登録された画像を管理する画像管理装置であって、
前記クライアント端末から、前記登録されている画像の中から前記応募サイトに応募する画像の選択を受け付ける第１の応募画像受付手段と、
前記受け付けた画像を前記応募サイトに送信する応募画像送信手段と、
前記登録されている画像を表示する画面の表示要求を前記クライアント端末から受け付ける第1の登録画像画面受付手段と、
前記受け付けた表示要求に応じて、前記応募サイトに送信した画像の前記応募サイトへの応募を識別可能な表示情報を、前記登録されている画像に新規に付与して表示する画面を前記クライアント端末に表示指示する登録画像画面表示指示手段と、
を備えることを特徴とする画像管理装置。
【請求項２】
前記クライアント端末から、前記クライアント端末に保存されている画像の中から前記応募サイトに応募する画像の選択を受け付ける第２の応募画像受付手段と、
前記第２の応募画像受付手段が受け付けた画像が、前記画像管理装置に登録されているかいなかを判定する登録判定手段と、
前記登録判定手段が登録されていないと判定した場合に、前記前記第２の応募画像受付手段が受け付けた画像を登録すべく指示する画面を、前記画像管理装置に表示指示する登録画面表示指示手段と、
を備えることを特徴とする請求項１に記載の画像管理装置。
【請求項３】
前記登録画像画面表示指示手段が前記応募サイトへの応募を識別可能に表示する前記表示情報は、前記クライアント端末から、前記応募画像送信手段が送信した画像の表示を要求可能な表示情報であることを特徴とする請求項１または請求項２に記載の画像管理装置。
【請求項４】
前記応募サイトに応募した画像の応募情報を記憶する応募情報記憶手段と、
前記表示情報を介して、前記応募画像送信手段が送信するまたは送信した画像の表示要求を受け付ける応募画像表示要求受付手段と、
前記画像の表示要求を受け付けた場合に、前記応募情報記憶手段が記憶している応募情報に従って、前記表示要求された画像が新規応募であるいなかを判定する新規応募判定手段と、
前記新規応募判定手段によって、当該画像が応募済みでないと判断された場合、当該画像の送信指示を受けつける指示受付部を含む応募画面を、前記クライアント端末に表示指示する応募画面表示指示手段と、
を備えることを特徴とする請求項１乃至請求項３のいずれか１項に記載の画像管理装置。
【請求項５】
クライアント端末および応募サイトに通信可能に接続され、登録された画像を管理する画像管理装置の制御方法であって、
前記画像管理装置の第１の応募画像受付工程が、前記クライアント端末から、前記登録されている画像の中から前記応募サイトに応募する画像の選択を受け付ける第１の応募画像受付工程と、
前記画像管理装置の応募画像送信工程が、前記受け付けた画像を前記応募サイトに送信する応募画像送信工程と、
前記画像管理装置の応募画像送信工程が、前記登録されている画像を表示する画面の表示要求を前記クライアント端末から受け付ける第1の登録画像画面受付工程と、
前記画像管理装置の第１の登録画像画面表示指示工程が、前記受け付けた表示要求に応じて、前記応募サイトに送信した画像の前記応募サイトへの応募を識別可能な表示情報を、前記登録されている画像に新規に付与して表示する画面を前記クライアント端末に表示指示する登録画像画面表示指示工程と、
を含むことを特徴とする制御方法。
【請求項６】
クライアント端末および応募サイトに通信可能に接続され、登録された画像を管理する画像管理装置で読み取り実行可能なプログラムであって、
前記画像管理装置を、
前記クライアント端末から、前記登録されている画像の中から前記応募サイトに応募する画像の選択を受け付ける第１の応募画像受付手段、
前記受け付けた画像を前記応募サイトに送信する応募画像送信手段、
前記登録されている画像を表示する画面の表示要求を前記クライアント端末から受け付ける第1の登録画像画面受付手段、
前記受け付けた表示要求に応じて、前記応募サイトに送信した画像の前記応募サイトへの応募を識別可能な表示情報を、前記登録されている画像に新規に付与して表示する画面を前記クライアント端末に表示指示する登録画像画面表示指示手段、
として機能させることを特徴とするプログラム。
【請求項７】
応募サイトと、クライアント端末から登録された画像を管理する画像管理装置とが通信可能に接続された画像管理システムであって、
前記画像管理装置は、
前記クライアント端末から、前記登録されている画像の中から前記応募サイトに応募する画像の選択を受け付ける第１の応募画像受付手段と、
前記受け付けた画像を前記応募サイトに送信する応募画像送信手段と、
前記登録されている画像を表示する画面の表示要求を前記クライアント端末から受け付ける第１の登録画像画面受付手段と、
前記受け付けた表示要求に応じて、前記応募サイトに送信した画像の前記応募サイトへの応募を識別可能な表示情報を、前記登録されている画像に新規に付与して表示する画面を生成する生成手段と、
を備え、
前記クライアント端末は、
前記画像管理装置により前記生成され、前記表示情報が付与された前記登録画像画面表示を表示する登録画像画面表示手段
を備えることを特徴とする画像管理システム。
【請求項８】
応募サイトと、クライアント端末から登録された画像を管理する画像管理装置とが通信可能に接続された画像管理システムの制御方法であって、
前記画像管理装置において、
前記クライアント端末から、前記登録されている画像の中から前記応募サイトに応募する画像の選択を受け付ける第１の応募画像受付工程と、
前記受け付けた画像を前記応募サイトに送信する応募画像送信工程と、
前記登録されている画像を表示する画面の表示要求を前記クライアント端末から受け付ける第1の登録画像画面受付工程と、
前記受け付けた表示要求に応じて、前記応募サイトに送信した画像の前記応募サイトへの応募を識別可能な表示情報を、前記登録されている画像に新規に付与して表示する画面を生成する生成工程と、
を含み、
クライアント端末において、
前記画像管理装置により前記生成され、前記表示情報が付与された前記登録画像画面表示を表示する登録画像画面表示工程
を含むことを特徴とする画像管理システムの制御方法。
【請求項９】
応募サイトと、クライアント端末から登録された画像を管理する画像管理装置とが通信可能に接続された画像管理システムのプログラムであって、
前記画像管理装置を、
前記クライアント端末から、前記登録されている画像の中から前記応募サイトに応募する画像の選択を受け付ける第１の応募画像受付手段、
前記受け付けた画像を前記応募サイトに送信する応募画像送信手段、
前記登録されている画像を表示する画面の表示要求を前記クライアント端末から受け付ける第1の登録画像画面受付手段、
前記受け付けた表示要求に応じて、前記応募サイトに送信した画像の前記応募サイトへの応募を識別可能な表示情報を、前記登録されている画像に新規に付与して表示する画面を生成する生成手段、
として機能させ、
前記クライアント端末を、
前記画像管理装置により前記生成され、前記表示情報が付与された前記登録画像画面表示を表示する登録画像画面表示手段
として機能させることを特徴とするプログラム。